(57)【要約】【課題】素早い沈降性を有し反応性の高い抗体固定化粒子を提供する。【解決手段】平均分子量が４０，０００以下のポリスチレン、ポリスチレンコポリマー、または末端にカルボキシル基を有するポリスチレンを溶解した反応液に，酸化ジルコニウム粒子を分散させる第一の工程；その反応液に、ポリスチレン、ポリスチレンコポリマー、または末端にカルボキシル基を有するポリスチレンの貧溶媒を加えて、酸化ジルコニウム粒子表面に、平均分子量が４０，０００以下のポリスチレン、ポリスチレンコポリマー、または末端にカルボキシル基を有するポリスチレンの被膜を析出させる第二の工程；第二の工程で得られた被膜を有する粒子の表面に抗体を固定化する第三の工程；によって、抗体固定化粒子を製造する。【選択図】なし【特許請求の範囲】
【請求項１】
平均分子量が４０，０００以下のポリスチレン、ポリスチレンコポリマー、または末端にカルボキシル基を有するポリスチレンの被膜を有する酸化ジルコニウム粒子であって、表面に抗体が固定化されていることを特徴とする、抗体固定化粒子。
【請求項２】
酸化ジルコニウムが、ジルコニア又はイットリウム添加ジルコニアの焼結体である、請求項１に記載の抗体固定化粒子。
【請求項３】
酸化ジルコニウムの平均粒子径が１〜４０μｍである、請求項１又は２に記載の抗体固定化粒子。
【請求項４】
酸化ジルコニウムの形状が無定形である、請求項１から３のいずれかに記載の抗体固定化粒子。
【請求項５】
ポリスチレン、ポリスチレンコポリマー、または末端にカルボキシル基を有するポリスチレンの疎水的性質を利用して、抗体が疎水的に粒子の表面に固定化されている、請求項１から４のいずれかに記載の抗体固定化粒子。
【請求項６】
平均分子量が４０，０００以下のポリスチレン、ポリスチレンコポリマー、または末端にカルボキシル基を有するポリスチレンを溶解した反応液に，酸化ジルコニウム粒子を分散させる第一の工程；その反応液に、ポリスチレン、ポリスチレンコポリマー、または末端にカルボキシル基を有するポリスチレンの貧溶媒を加えて、酸化ジルコニウム粒子表面に、平均分子量が４０，０００以下のポリスチレン、ポリスチレンコポリマー、または末端にカルボキシル基を有するポリスチレンの被膜を析出させる第二の工程；第二の工程で得られた被膜を有する粒子の表面に抗体を固定化する第三の工程；を有することを特徴とする、抗体固定化粒子の製造方法。
【請求項７】
平均分子量が４０，０００以下のポリスチレン、ポリスチレンコポリマー、または末端にカルボキシル基を有するポリスチレンを溶解した反応液に，酸化ジルコニウム粒子を分散させる第一の工程；その反応液に、ポリスチレン、ポリスチレンコポリマー、または末端にカルボキシル基を有するポリスチレンの貧溶媒を加えて、酸化ジルコニウム粒子表面に、平均分子量が４０，０００以下のポリスチレン、ポリスチレンコポリマー、または末端にカルボキシル基を有するポリスチレンの被膜を析出させる第二の工程；第二の工程で得られた被膜を有する粒子の表面に抗体を固定化する第三の工程；を有する抗体固定化粒子の製造方法により製造される抗体固定化粒子。
【発明の詳細な説明】
【技術分野】
【０００１】
本発明は、抗体を粒子表面に固定化した、ポリスチレンおよびポリスチレンコポリマーで表面が被覆された酸化ジルコニウム粒子に関する。
【背景技術】
【０００２】
粒子に低分子化合物、核酸、タンパク質、糖鎖または細胞等の物質を結合させ、それら粒子上の物質と、核酸、蛋白質、抗原または糖鎖等の標的物質とを、結合、吸着または反応させることによって診断、分析、抽出、精製または反応を行うシステムが種々提案されている。
【０００３】
例えば市販のマイクロビーズへタンパク質を固定化し、このマイクロビーズをカップや９６穴プレートに入れ、抗体抗原反応を利用した診断を行う手法が提案されている。これらの代表例として抗原と抗体との反応を利用した免疫測定装置が特許文献１に提案されている。このような測定方法においては、まず定量したい物質（以下「抗原」という）に対する抗体を吸着または化学結合により固定化するとともに（以下この抗体を固定化した単体を「抗体固定化担体」という）、この固定化された抗体とは異なる抗原のエピトープを認識する抗体にラジオアイソトープや酵素等による標識をした物（以下この標識された抗体を「標識抗体」という）を準備する。
【０００４】
次にこれらの抗体固定化担体および標識抗体の二つを含む溶液に、被検液を加えて、この被検液に含まれる抗原と標識抗体を結合させた状態で抗体固定化担体に補足させる。ここで、抗体固定化担体に補足された標識抗体−抗原の結合物の量は、被検液中に含まれる抗原の濃度に比例する。ここで抗体固定化担体に補足されなかった標識抗体を分離し、固定化された標識抗体を標識方法に応じた分析手法で分析することにより分析することにより、目的とする抗原の濃度が分析できる。抗体固定化担体の分離方法は、抗体固定化担体を時間をかけて遠心装置にかける工程、あるいは磁性粒子を含むマイクロビーズを抗体固定化担体として磁場をかける工程を追加して強制的に沈降させる、あるいは密度の高い酸化ジルコニウム粒子を抗体固定化担体として沈降させる等の方法（特許文献２）がとられ、その後に上澄み液を除去する方法が行われる。この手法の一つの課題は抗体固定化担体に補足されなかった標識抗体をいかにして洗浄して除去するかということであり、固定化抗体を沈降させ分離洗浄する方法が利用されている。
【０００５】
タンパク質を固定化するための、酸化ジルコニウム粒子のポリマーによる被覆は、特許文献２のように間接的に被覆する方法が開示されている。また特許文献３のように硫酸バリウム粒子へ直接ポリスチレンを被覆した樹脂粒子の製造方法が開示されている。しかしながら分子量４０，０００以下のポリスチレン類を直接、酸化ジルコニウム粒子へ被覆した例は知られていない
【先行技術文献】
【特許文献】
【０００６】
【特許文献１】特開平１−１７２７５５号公報
【特許文献２】国際公開第２００７／１２６１５１号パンフレット
【特許文献３】特開平４−５２１７号公報
【発明の概要】
【発明が解決しようとする課題】
【０００７】
上記のような抗原抗体反応により目的とする抗原の濃度を分析する方法には、抗原抗体反応により標識抗体が結合した抗体固定化担体をいかに素早く分離するかという課題がある。通常は、抗体固定化担体を沈降させ分離洗浄する方法が利用されているが、通常使用されるマイクロビーズは樹脂基材やシリカ等の比重の軽い材質から成るものが多く、沈降する時間を要すため、遠心装置にかける工程を追加して強制的に沈降させる必要があった。これらのまた欠点を補う目的で磁性粒子を含むマイクロビーズもあるが、これらの磁性粒子もまた粒子の沈降には、磁場をかける装置および工程が必要である。
【０００８】
密度の高いジルコニア粒子で沈降させる場合は、その作製において高価なシランカップリング剤を使用した上、ポリマーの重合反応を行うため、製造原価、工程数に問題がある。少ない工程数でポリスチレンを被覆する場合は、直接被覆することが望ましいが、酸化ジルコニウムへ直接ポリスチレンを被覆した樹脂粒子は知られていない。
【０００９】
又、密度の高い酸化ジルコニウム粒子を抗体固定化担体として用いる場合は、粒径の大きな粒子を使用しなくてはならず、その場合は抗体固定化担体に固定化された標識抗体による検出信号が著しく低下し、検出物が検出できないという課題がある。一方、粒径の小さな粒子を抗体固定化担体として用いる場合は、その沈降性が著しく劣り、測定に時間がかかるという課題がある。
【課題を解決するための手段】
【００１０】
本発明者らは前記課題を解決すべく鋭意検討した結果、本発明に到達した。即ち本発明は、以下のとおりである。
【００１１】
（１）平均分子量が４０，０００以下のポリスチレン、ポリスチレンコポリマー、または末端にカルボキシル基を有するポリスチレンの被膜を有する酸化ジルコニウム粒子であって、表面に抗体が固定化されていることを特徴とする、抗体固定化粒子。
（２）酸化ジルコニウムが、ジルコニア又はイットリウム添加ジルコニアの焼結体である、（１）に記載の抗体固定化粒子。
（３）酸化ジルコニウムの平均粒子径が１〜４０μｍである、（１）又は（２）に記載の抗体固定化粒子。
（４）酸化ジルコニウムの形状が無定形である、（１）から（３）のいずれかに記載の抗体固定化粒子。
（５）ポリスチレン、ポリスチレンコポリマー、または末端にカルボキシル基を有するポリスチレンの疎水的性質を利用して、抗体が疎水的に粒子の表面に固定化されている、（１）から（４）のいずれかに記載の抗体固定化粒子。
（６）平均分子量が４０，０００以下のポリスチレン、ポリスチレンコポリマー、または末端にカルボキシル基を有するポリスチレンを溶解した反応液に、酸化ジルコニウム粒子を分散させる第一の工程；その反応液に、ポリスチレン、ポリスチレンコポリマー、または末端にカルボキシル基を有するポリスチレンの貧溶媒を加えて、酸化ジルコニウム粒子表面に、平均分子量が４０，０００以下のポリスチレン、ポリスチレンコポリマー、または末端にカルボキシル基を有するポリスチレンの被膜を析出させる第二の工程；第二の工程で得られた被膜を有する粒子の表面に抗体を固定化する第三の工程；を有することを特徴とする、抗体固定化粒子の製造方法。
（７）平均分子量が４０，０００以下のポリスチレン、ポリスチレンコポリマー、または末端にカルボキシル基を有するポリスチレンを溶解した反応液に，酸化ジルコニウム粒子を分散させる第一の工程；その反応液に、ポリスチレン、ポリスチレンコポリマー、または末端にカルボキシル基を有するポリスチレンの貧溶媒を加えて、酸化ジルコニウム粒子表面に、平均分子量が４０，０００以下のポリスチレン、ポリスチレンコポリマー、または末端にカルボキシル基を有するポリスチレンの被膜を析出させる第二の工程；第二の工程で得られた被膜を有する粒子の表面に抗体を固定化する第三の工程；を有する抗体固定化粒子の製造方法により製造される抗体固定化粒子。
【００１２】
以下、本発明を詳細に説明する。本発明において被覆に用いられるポリスチレン、ポリスチレンコポリマー、または末端にカルボキシル基を有するポリスチレンを、以下、ポリスチレン類とする。ポリスチレンコポリマーとしては、ポリ（スチレン−メタクリル酸）コポリマー、ポリ（スチレン−アクリル酸）コポリマー、ポリ（スチレン−スチレンスルホン酸）コポリマー、ポリ（スチレン−ビニル安息香酸）コポリマー等のスチレンコポリマーが例示できる。また末端にカルボキシル基を有するポリスチレンとしては、ポリスチレンの片末端にカルボキシル基を有するポリスチレン及び両末端にカルボキシル基を有するポリスチレンが例示できる。前述のポリスチレン類の中では、ポリスチレンが好ましい。なお、末端にカルボキシル基を有する化ポリスチレンやポリスチレンコポリマーは、自身が持つ負荷電により、酸化ジルコニウム粒子への付着性が向上し、酸化ジルコニウム粒子へ均一に被覆しやすくなる。
【００１３】
本発明における被覆させるポリスチレン類の平均分子量は４０，０００以下である。本発明において、平均分子量はサイズ排除クロマトグラフィー法（ＳＥＣ）で求めた値である。本発明において、平均分子量は、好ましくは１，０００から４０，０００であり、さらに好ましくは１，０００から３８，０００であり、とりわけ１０，０００から３８，０００が好ましい。最も好ましくは３５，０００から３８，０００である。ポリマー鎖が長くなると樹脂粒子同士の凝集が起こり目的の診断、分析、抽出、精製または反応などの処理に適した酸化ジルコニウム粒子には不向きとなるからである。本発明の粒子は粒子同士の凝集が全く無い方が好ましいが、わずかに凝集していても、本発明の目的には適応しうるものである。
【００１４】
本発明におけるポリスチレン類の被膜を有する酸化ジルコニウム粒子は、酸化ジルコニウム粒子を被覆するポリスチレン類で完全に被覆されていても、部分的に被覆されていても本発明の目的には適応しうるものである。
【００１５】
本発明に用いられる酸化ジルコニウム粒子は、ジルコニアまたはイットリウム添加ジルコニアの焼結体粒子が好ましい。未焼結の酸化ジルコニウム粒子は崩れやすいため、ポリスチレン類を被覆するとき、またはタンパク質を固定化する際に攪拌すると粒子自体が崩れる恐れがあるためである。
【００１６】
また、本発明に用いられる酸化ジルコニウム粒子の平均粒子径は、１μｍから４０μｍが好ましい。より好ましくは１μｍから２０μｍである。さらに好ましくは１μｍから１０μｍである。これ以上粒子のサイズが小さくなると自然沈降の速度が低下する。逆に粒子の大きさが大きくなると体積あたりの表面積が小さくなり診断または分析のシグナル・感度の低下、抽出、精製、または反応効率の低下をもたらす。
【００１７】
さらに本発明に用いられる酸化ジルコニウム粒子の形状は特に制限はないが、好ましくは無定形の粒子である。それは単位体積あたりの表面積が大きくなり、診断または分析のシグナル・感度の向上、抽出、精製、または反応の効率の向上の点で好ましいからである。
【００１８】
本発明の抗体固定化粒子は、平均分子量４０，０００以下のポリスチレン類を溶解した反応液に酸化ジルコニウム粒子を分散させる第一の工程；その反応液に当該ポリスチレン類の貧溶媒を加えて、酸化ジルコニウム粒子表面に当該ポリスチレン類を析出させる第二の工程；第二の工程で得られた被膜を有する粒子の表面に抗体を固定化する第三の工程；の３つの工程を有する製造方法によって製造することができる。
【００１９】
第一の工程は、平均分子量４０，０００以下のポリスチレン類を溶解した反応液に酸化ジルコニウム粒子を分散させる工程である。この工程で使用する溶媒はポリスチレン類を溶解できる溶媒であれば種類を問わないが、ＴＨＦ、アセトン、トルエン、キシレン、ベンゼン、ＤＭＦ、クロロホルム、トリクロロエチレン、アセトニトリル、イソプロピルエーテル、ジエチルエーテル、メチルエチルケトン等が例示できる。より好ましくはＴＨＦが好ましい。また分散させる方法は超音波分散、ホモジナイズ、攪拌が例示できる。
【００２０】
本発明の第一の工程で用いられる、ポリスチレン類／酸化ジルコニウム粒子の比率は、１／１０（ｇ／ｇ）以下が好ましい。ポリスチレン類の量が多くなるとポリスチレン類で被覆された粒子同士の凝集が起こりやすくなり、目的の診断、分析、抽出、精製または反応などの処理に適したジルコニア粒子には不向きとなるからである。またポリスチレン類で被覆された酸化ジルコニウム粒子の比重が軽くなり自然沈降の速度が低下する。
【００２１】
第二の工程は、当該ポリスチレン類の貧溶媒を加えて、酸化ジルコニウム粒子表面に当該ポリスチレン類を析出させる工程である。この工程で使用する貧溶媒としてはポリスチレン類を析出させることができる溶媒であれば種類を問わないが、水、メタノール、エタノール、イソプロパノールなどのアルコール類、ヘキサン等が例示できる。
【００２２】
第三の工程は、第二の工程で得られた被膜を有する粒子の表面に抗体を固定化する工程である。このときの抗体の固定化法には特に制限はないが、ポリスチレン類の疎水的性質を利用した物理的疎水吸着法や、粒子表面の被膜に存在するカルボン酸などの官能基との共有結合による方法があげられる。
【発明の効果】
【００２３】
本発明により、水中で短時間で沈降する酸化ジルコニウムに、抗体結合可能なポリマーを２工程で直接被覆し且つ抗体を固相化することができ、反応性の高い抗体固相化担体を作製することが可能となった。これにより抗体固相化担体を分離するための遠心あるいは磁場をかける特別な装置が不要になり、安価で短時間に診断、分析を行うシステムへ応用することが可能となった。
【実施例】
【００２４】
以下に、発明を更に詳細に説明するために実施例を示すが、本発明はこれら実施例に限定されるものではない。
【００２５】
実施例１  ポリスチレン被覆無定形ジルコニア粒子の作製
第一の工程としてＴＨＦ１０ｍＬにポリスチレン（シグマアルドリッチ製Ｍｗ＝３５，０００、２００ｍｇ）を加え６０分間撹拌溶解した。これに無定形酸化ジルコニウム粒子（ＺＣＯ−Ｅ６、平均粒径６μｍ、ＡＳＴＲＯＮ製、２．５ｇ）を加え、３０分間撹拌した。第二の工程として撹拌しながらヘキサン３０ｍＬを加え、デカンテーションにより上澄み液を取り除いた。さらにヘキサン３０ｍＬを加え撹拌したのち、懸濁液をガラスフィルターでろ過した。残渣をヘキサンでよく洗浄したのち乾燥することにより、凝集していないポリスチレン被覆無定形酸化ジルコニウム粒子を作製した。
【００２６】
第三の工程として、抗体固定化ポリスチレン被覆無定形ジルコニア粒子を作製した。即ち、第二の工程で作製したポリスチレン被覆無定形ジルコニア粒子２０ｍｇを４５０μｌの１Ｍリン酸緩衝液ｐＨ８に懸濁し、該溶液に抗ＴＳＨ（甲状腺刺激ホルモン）抗体１００μｇを添加した。３７℃で４時間反応させた後、５０ｍＭトリス緩衝液ｐＨ８、１％ＢＳＡで３回洗浄し、抗ＴＳＨ抗体固定化ポリスチレン被覆無定形ジルコニア粒子を作製した。
【００２７】
標識マーカーの作製は以下のように行った。即ち、磁性ナノ粒子ＱＤ４０（日本カンタムデザイン社製）に、添付のプロトコールに従って、プロテインＧを結合し、プロテインＧ結合磁性ナノ粒子を作製した。
【００２８】
第三の工程で作製した抗ＴＳＨ抗体固定化ポリスチレン被覆無定形ジルコニア粒子４ｍｇと、前述のプロテインＧ結合磁性ナノ粒子２０μｇを３７℃で一晩反応させた後、沈降する時間を測定したところ、１分であった。また該ジルコニア粒子を沈降させた後、結合した標識マーカーの磁気信号を、電流に変換した信号としてＭＲセンサーにより検出した。その結果を表１に示す。
【００２９】
比較例１  抗体固定化ポリスチレン粒子の作製
直径４．５μｍのポリスチレン粒子（テクノケミカル製）に、添付のプロトコールに従って、抗ＴＳＨ抗体を結合し、抗ＴＳＨ抗体固定化ポリスチレン粒子を作製した。作製した抗ＴＳＨ抗体固定化ポリスチレン粒子３．６×１０６個と、実施例１で作製したプロテインＧ結合磁性ナノ粒子２０μｇを３７℃で一晩反応させた後、沈降する時間を測定したところ、１８時間であった。またポリスチレン粒子を沈降させた後、結合した標識マーカーの磁気信号を、電流に変換した信号としてＭＲセンサーにより検出した。その結果を表１に示す。
【００３０】
実施例１で作製した抗ＴＳＨ抗体固定化ポリスチレン被覆無定形ジルコニア粒子と、比較例１で作製した抗ＴＳＨ抗体固定化ポリスチレン粒子では、ほぼ同程度の信号を示したが、実施例１で示した本発明による抗体固定化ポリスチレン被覆無定形ジルコニア粒子は１分という短時間で沈降し、結合した標識マーカーの磁気信号を測定することが可能であった。
【００３１】
実施例２  抗体固定化ジルコニア粒子（球形、直径１５μｍ）の作製
実施例１と同様の方法で作製した直径１５μｍの球形ポリスチレン被覆ジルコニア粒子２０ｍｇを４５０μｌの１Ｍリン酸緩衝液ｐＨ８に懸濁し、該溶液に抗ＴＳＨ（甲状腺刺激ホルモン）抗体１００μｇを添加した。３７℃で４時間反応させた後、５０ｍＭトリス緩衝液ｐＨ８、１％ＢＳＡで３回洗浄し、抗ＴＳＨ抗体固定化ポリスチレン被覆球形ジルコニア粒子を作製した。作製した抗ＴＳＨ抗体固定化ポリスチレン被覆球形ジルコニア粒子４ｍｇと、実施例１で作製したプロテインＧ結合磁性ナノ粒子２０μｇを３７℃で一晩反応させた後、沈降する時間を測定したところ、１分であった。また該ジルコニア粒子を沈降させた後、結合した標識マーカーの磁気信号を、電流に変換した信号としてＭＲセンサーにより検出した。その結果を表１に示す。
【００３２】
実施例１の抗ＴＳＨ抗体固定化ポリスチレン被覆無定形ジルコニア粒子と、実施例２の抗ＴＳＨ抗体固定化ポリスチレン被覆球形ジルコニア粒子（球形、直径１５μｍ）では、両者とも１分という短時間で沈降し、結合した標識マーカーの磁気信号を測定することが可能であった。また、実施例１の抗ＴＳＨ抗体固定化ポリスチレン被覆無定形ジルコニア粒子よりも低いが、実施例２の抗ＴＳＨ抗体固定化ポリスチレン被覆球形ジルコニア粒子でも、結合した標識マーカーの磁気信号を測定することが可能であった。
【００３３】
比較例２  抗体固定化ポリスチレン粒子の作製
直径４５μｍのポリスチレン粒子（テクノケミカル製）に、添付のプロトコールに従って、抗ＴＳＨ抗体を結合し、抗ＴＳＨ抗体固定化ポリスチレン粒子を作製した。作製した抗ＴＳＨ抗体固定化ポリスチレン粒子３．６×１０６個と、実施例１で作製したプロテインＧ結合磁性ナノ粒子２０μｇを３７℃で一晩反応させた後、沈降する時間を測定したところ、１８時間であった。またポリスチレン粒子を沈降させた後、結合した標識マーカーの磁気信号を、電流に変換した信号としてＭＲセンサーにより検出した。その結果を表１に示す。
【００３４】
実施例１で作製した抗ＴＳＨ抗体固定化ポリスチレン被覆無定形ジルコニア粒子および実施例２で作製した抗ＴＳＨ抗体固定化ポリスチレン被覆球形ジルコニア粒子と比較して、比較例２で作製した抗ＴＳＨ抗体固定化ポリスチレン粒子では、沈降に１８時間という長い時間を必要とし、結合した標識マーカーの磁気信号も検出できなかった。
【００３５】
このように、本発明によれば、水中で短時間で沈降し、且つ反応性の高い抗体固相化担体を得ることができ、短時間に標識マーカーを測定することができる。
【００３６】
【表１】
2014126524.tif 000002